(57)【特許請求の範囲】
【請求項１】
撮像部と、
画面を表示する表示部と、
前記表示部に対するタッチ操作を受け付けるタッチパネル部と、
携帯通信装置の使用者の個人情報を記憶する記憶部と、
データの送受信を行うための無線通信部と、
前記撮像部を用いてコード表示体を撮影することにより生成された画像データに基づき前記コード表示体に含まれるアドレスを認識し、前記アドレスにあるデータを申込用紙のデータとして前記無線通信部に取得させ、取得されたデータに含まれる欄を認識し、前記個人情報の項目名を含むキーを前記表示部に表示させ、項目を指定するために何れか１つの前記キーがタッチされたときのタッチ位置をスライド移動させた後に指が離された欄内の画素に、指定された項目の内容を示す文字列を上書きして、又は、取得したデータでの空欄と前記空欄に隣接する欄であって文字を含む欄を認識し、前記空欄に隣接する欄に含まれる文字列に対応する項目の内容を前記空欄内に自動的に上書きして、前記個人情報の内容を前記申込用紙のデータに追加し、前記個人情報が追加された前記申込用紙のデータに基づき項目が記入済の申込用紙の印刷用データを生成し、生成した前記印刷用データを画像形成装置に向けて前記無線通信部に送信させる処理部と、を含むことを特徴とする携帯通信装置。
【請求項２】
前記処理部は、前記コード表示体に含まれる前記アドレスにあるデータが予め定められた種類のデータである所定データであるか否かを前記アドレスに基づき判断し、前記所定データであるとき前記アドレスにあるデータを前記無線通信部に取得させ、前記所定データでないとき前記アドレスにあるデータに基づいて前記印刷用データを生成しないことを特徴とする請求項１に記載する携帯通信装置。
【請求項３】
前記処理部は、前記アドレスにあるデータを申込用紙のデータとして前記無線通信部に取得させたとき、予め定められた範囲内にある画像形成装置を前記無線通信部に検索させ、検出された画像形成装置との通信を前記無線通信部に確立させ、通信が確立された画像形成装置に向けて前記印刷用データを前記無線通信部に送信させることを特徴とする請求項１又は２に記載の携帯通信装置。
【請求項４】
前記処理部は、前記無線通信部が画像形成装置との通信を確立したとき、前記印刷用データの印刷に要する金額を前記表示部に表示させることを特徴とする請求項１乃至３の何れか１項に記載の携帯通信装置。
【請求項５】
前記処理部は、前記無線通信部に取得させたデータを確認するための確認画面を前記表示部に表示させ、取得させたデータに基づき印刷を行う旨が前記タッチパネル部に入力されたとき前記印刷用データを生成し、取得させたデータに基づき印刷を行わない旨が前記タッチパネル部に入力されたとき前記印刷用データを生成しないことを特徴とする請求項１乃至４の何れか１項に記載の携帯通信装置。
【請求項６】
前記処理部は、前記コード表示体に含まれるＱＲコードを撮像することにより前記撮像部で生成された画像データに基づきアドレスを認識することを特徴とする請求項１乃至５の何れか１項に記載の携帯通信装置。
【請求項７】
請求項１乃至６の何れか１項に記載の携帯通信装置と、携帯通信装置から送信された申込用紙の前記印刷用データに基づき印刷を行う画像形成装置を含むことを特徴とする画像形成システム。
【発明の詳細な説明】
【技術分野】
【０００１】
本発明は、撮像部や撮像結果を表示する表示部を有し、画像形成装置に印刷を行わせる携帯通信装置に関する。又、この携帯通信装置と画像形成装置を含む画像形成システムに関する。
【背景技術】
【０００２】
スマートフォンやタブレットコンピューターのような携帯通信装置が普及している。このような携帯通信装置を用いて、複合機、複写機、プリンターのような画像形成装置をより使いやすくする試みがなされている。携帯通信装置と画像形成装置を協働させる技術の一例が特許文献１に記載されている。
【０００３】
具体的に、特許文献１には、ジョブの実行に関する設定情報を画像データに変換し、変換された画像データを出力する画像形成装置と、出力された画像データを撮影でき、撮影した画像データを保存でき、保存された画像データまたはこの画像データで示される設定情報を出力（表示、印刷、送信）できる携帯端末と、を備えた画像形成システムが記載されている。この構成によれば、画像形成装置は、記憶する複数の設定値の情報（登録プログラム）をＱＲコード（登録商標）のような画像で出力し、携帯端末に複数の設定値の情報を渡せるようにする（特許文献１：請求項１〜３、段落［０００９］等参照）。
【先行技術文献】
【特許文献】
【０００４】
【特許文献１】特開２００７−０３６４０４号公報
【発明の概要】
【発明が解決しようとする課題】
【０００５】
コンビニエンスストアのような店舗や商業施設や公共施設のような人が集まる場所に、イベントや商品のパンフレットや広告が置かれることがある。しかし、パンフレットや広告には、概要しか記載されておらず、参加や購入の申込用紙がついていない場合がある。この場合、ネットでの確認や、申込用紙の取り寄せや、取り寄せた申込用紙のＦＡＸ送信のような別の手間が必要となる。従って、申込用紙を直ちに入手し、店舗や施設の係員に申込用紙を手渡しして申し込みを行うことができないという問題がある。
【０００６】
一方、上記のような店舗や施設には、複写機や複合機のようなお金を払うことにより利用できる画像形成装置が設置されることがある。設置された画像形成装置で申込用紙を印刷できれば、使用者にとって便利で有るし、設置者にとっても装置を利用してもらう頻度を高めることができる。しかし、現状、申込用紙を簡易に印刷できず、設置された画像形成装置を有効利用できていない。
【０００７】
ここで、特許文献１記載の技術では、画像形成装置に保存されているプログラム（複数種の設定値を示すデータ）を、画像形成装置から携帯端末に引き渡すことができる。しかし、手元に無い申込用紙をその場で直ちに印刷することはできず、上記の問題を解決できない。
【０００８】
本発明は、上記従来技術の問題点に鑑み、パンフレットや広告の記載内容に基づき申込用紙のデータを取得し、書き込みの手間を減らすために取得したデータに使用者の情報を加えて申込用紙を画像形成装置に印刷させ、直ちに申込みできるようにする。
【課題を解決するための手段】
【０００９】
上記課題解決のため、請求項１に係る携帯通信装置は、撮像部と、画面を表示する表示部と、前記表示部に対するタッチ操作を受け付けるタッチパネル部と、携帯通信装置の使用者の個人情報を記憶する記憶部と、データの送受信を行うための無線通信部と、前記撮像部を用いてコード表示体を撮影することにより生成された画像データに基づき前記コード表示体に含まれるアドレスを認識し、前記アドレスにあるデータを申込用紙のデータとして前記無線通信部に取得させ、取得されたデータに含まれる欄を認識し、前記個人情報の項目名を含むキーを前記表示部に表示させ、項目を指定するために何れか１つの前記キーがタッチされたときのタッチ位置をスライド移動させた後に指が離された欄内の画素に、指定された項目の内容を示す文字列を上書きして、又は、取得したデータでの空欄と、空欄に隣接する欄であって文字を含む欄を認識し、前記空欄に隣接する欄に含まれる文字列に対応する項目の内容を空欄内に自動的に上書きして、前記個人情報の内容を前記申込用紙のデータに追加し、前記個人情報が追加された前記申込用紙のデータに基づき項目が記入済の申込用紙の印刷用データを生成し、生成した前記印刷用データを画像形成装置に向けて前記無線通信部に送信させる処理部と、を含むこととした。
【発明の効果】
【００１０】
本発明によれば、パンフレットや広告の記載内容に基づき申込用紙のデータを容易に取得することができる。そして、取得したデータに使用者の情報を加えて申込用紙への書き込みの手間を減らすようにしてから申込用紙を画像形成装置に印刷させることができる。従って、必要事項が記入された申込用紙をその場で得ることができ、直ちに申込みを行うことができる。
【図面の簡単な説明】
【００１１】
【図１】実施形態に係る画像形成システムの一例を示す説明図である。
【図２】実施形態に係る複合機の構成の一例を示す図である。
【図３】実施形態に係る画像形成システムのハードウェアの一例を示す図である。
【図４】実施形態に係る携帯通信装置で表示される複合機の設定画面の一例を示す。
【図５】実施形態に係る使用者データの一例を示す図である。
【図６】実施形態に係る携帯通信装置でのＱＲコードの読み取りの一例を示す図である。
【図７】ＱＲコードの読み取りの後、ＱＲコードに格納されたアドレスに基づく申込用紙のデータの取得までの流れの一例を示すフローチャートである。
【図８】ＱＲコードを読み取ったときに表示される画面の一例を示す図である。
【図９】実施形態に係る携帯通信装置がデータ取得した後の画像形成システムでの処理の流れの一例を示すフローチャートである。
【図１０】複合機の印刷用のアプリケーションを起動したときの画面の一例を示す図である。
【図１１】アドレスに基づき取得したデータを確認する確認画面の一例を示す図である。
【図１２】申込用紙に個人情報を加える操作の一例を示す図である。
【発明を実施するための形態】
【００１２】
以下、図１〜図１２を用いて、本発明の実施形態を説明する。そして、本説明では、携帯通信装置１と複合機２（画像形成装置に相当）を含む画像形成システム１００を例に挙げて説明する。但し、本実施の形態に記載されている構成、配置等の各要素は、発明の範囲を限定するものではなく単なる説明例にすぎない。
【００１３】
（画像形成システム１００の概略構成）
まず、図１に基づき、実施形態に係る画像形成システム１００の概略構成の一例を説明する。図１は、実施形態に係る画像形成システム１００の一例を示す説明図である。
【００１４】
まず、携帯通信装置１を説明する。図１に示すように、本実施形態の携帯通信装置１はいわゆるスマートフォンである。なお、携帯通信装置１は、タブレットコンピューターのような携帯でき、通信機能を有する装置であればよい。
【００１５】
携帯通信装置１は、表示パネル１１（表示部に相当）を含む。表示パネル１１は、例えば、液晶パネルや有機ＥＬパネルである。そして、表示パネル１１での待ち受け画面には携帯通信装置１を利用する上で用いられるアプリケーション４のアイコンが表示される。また、携帯通信装置１は、タッチパネル部１２を有する。使用者は、携帯通信装置１の表示パネル１１（タッチパネル部１２）をタッチすることにより様々な操作を行うことができる。尚、携帯通信装置１の裏面側には、撮像部１５（カメラ）が設けられる（図１では不可視）。
【００１６】
又、携帯通信装置１では、携帯通話網による通話が可能である。又、携帯通信装置１では、ネットワーク３００を介し、ＰＣやサーバーのようなコンピューター２００にアクセスし、携帯通信装置１のアプリケーション４やデータをダウンロードすることができる。
【００１７】
また、携帯通信装置１は、撮像部１５で撮影されたＱＲコード５（バーコードのような他種のコードでもよい）の画像データに基づき、ＱＲコード５に含まれるアドレス（リンク先）を認識する。使用者は、撮影されたＱＲコード５に含まれるアドレスにアクセスし、アクセスの結果を表示パネル１１に表示される画面で確認できる。また、携帯通信装置１を用いて画像形成装置を利用するためのアプリケーション４や携帯通信装置１用のアプリケーション４をダウンロードすることができる。
【００１８】
次に、複合機２を説明する。図１では、コンビニエンスストアや商業施設や公共施設に設置される複合機２を例示している。図１に示す複合機２では、料金徴収のため、課金装置３が取り付けられる。なお、料金を徴収する必要ないとき、課金装置３を設ける必要は無い。
【００１９】
複合機２に付随する課金装置３には、金銭投入口３１や、投入金額の総額を表示する金額表示部３２などが設けられる。そして、利用者は、金銭を課金装置３に投入する。そうすると、金銭が投入された旨が課金装置３から複合機２に伝達される。そして、複合機２は、使用可能な（印刷のようなジョブが実行可能な）状態となる。例えば、本実施形態の複合機２では、金銭を課金装置３に投入することにより、携帯通信装置１から受信した印刷用データや、原稿の読み取りで得られた画像データに基づく印刷を複合機２に行わせることができる。そして、ジョブの実行に伴い、金額表示部３２は、実行されたジョブ分の料金を減らした残金を表示する。そして、精算されたり（返却口３３から払い戻しされたり）、ジョブ実行による残金減少によって、投入金額（残金）が０円となったりしたとき複合機２は使用できない状態となる。
【００２０】
（複合機２の概略構成）
次に、図２を用い、実施形態に係る複合機２を説明する。図２は、実施形態に係る複合機２の構成の一例を示す図である。
【００２１】
図２に示すように、本実施形態の複合機２は、最上部に原稿カバー２ｃが設けられ、その下方に画像読取部２１（スキャナー）が設けられる。又、正面上部に操作パネル２２が設けられる。又、本体内に、給紙部２３、搬送部２４、画像形成部２５、中間転写部２６、定着部２７を含む印刷部２８が設けられる。
【００２２】
操作パネル２２は、複合機２の正面上方に設けられる。そして、操作パネル２２は、複合機２の状態や各種メッセージを表示する液晶表示パネル２２ａを備える。液晶表示パネル２２ａは、機能や設定項目の選択や、設定値の設定や文字入力を行うためのソフトキーを表示する。タッチパネル部２２ｂは、タッチされた部分の位置（座標）を検出する。また、操作パネル２２には、コピー、送信のような各種機能の実行開始を指示するためのスタートキーや、数字の入力用のテンキーのようなハードキー２２ｃも設けられる。
【００２３】
原稿カバー２ｃは、図２の紙面奥側に支点が設けられ持ち上げ可能である。画像読取部２１内には露光ランプ、ミラー、レンズ、イメージセンサ（―例えば、ＣＣＤ）のような光学系部材（不図示）が設けられる。画像読取部２１は、これらの光学系部材を用い、セットされた原稿に光を照射し、原稿の反射光を受けたイメージセンサーの各画素の出力値をＡ／Ｄ変換し画像データを生成する。複合機２は、読み取りで得られた画像データに基づき印刷できる（コピー機能）。
【００２４】
給紙部２３は、用紙を搬送部２４に送り出す。搬送部２４は、給紙部２３から供給された用紙を搬送する。更に、画像形成部２５は、形成すべき画像の画像データに基づきトナー像を形成し、形成したトナー像を用紙に定着させる。画像形成部２５は、モノクロでの印刷に対応するとともに、カラーでの印刷にも対応している。中間転写部２６は、黒色のみ、又は、各色のトナー像を重畳してベルトに１次転写し、重ね合わされたトナー像を用紙に転写する。定着部２７は、用紙に２次転写されたトナー像を加熱・加圧して定着させる。尚、定着後の用紙は排出され印刷が完了する。
【００２５】
（画像形成システム１００のハードウェア構成）
次に、図３を用いて、実施形態に係る画像形成システム１００のハードウェア構成を説明する。図３は、実施形態に係る画像形成システム１００のハードウェアの一例を示す図である。
【００２６】
複合機２内には、制御部２０が設けられる。制御部２０は、複合機２の動作制御を司る。制御部２０は、ＣＰＵ２０ａ、記憶装置２０ｂを含む。ＣＰＵ２０ａは、中央演算処理装置であって、記憶装置２０ｂに記憶される制御プログラム、制御用データに基づき複合機２の各部を制御する。記憶装置２０ｂは、ＲＯＭ、ＲＡＭ、ＨＤＤのような装置を組み合わせて構成されている。記憶装置２０ｂは、複合機２の制御用プログラム、制御用データ、設定データ、画像データのような各種データを記憶する。そして、制御部２０は、印刷部２８（給紙部２３、搬送部２４、画像形成部２５、中間転写部２６、定着部２７）、操作パネル２２、画像読取部２１のような各部と信号線やバス等で接続され、動作を制御する。
【００２７】
又、制御部２０は、携帯通信装置１と無線通信するためのアンテナや回路を備えた通信部２９と接続される。通信部２９は、無線（電波）により携帯通信装置１の無線通信部１８とデータ通信を行う。通信部２９は、画像データや印刷の設定データを含む印刷用データを携帯通信装置１から受信する。制御部２０は、受信した印刷用データに基づき、印刷部２８を制御して、印刷を行わせる。また、制御部２０は、複合機２のドライバーソフトウェアＤ３を携帯通信装置１に提供するため、自機用のドライバーソフトウェアＤ３であって、携帯通信装置１のＯＳに対応したドライバーソフトウェアＤ３を携帯通信装置１に向けて通信部２９に送信させる。ドライバーソフトウェアＤ３は、記憶装置２０ｂに記憶される。
【００２８】
一方、携帯通信装置１は、処理部１０、Ｉ／Ｆ部１３、ＲＯＭ、ＲＡＭ、フラッシュメモリーを含む記憶部１４、表示パネル１１、タッチパネル部１２、撮像部１５、音声処理部１６、マイクロフォン１６ａ、再生処理部１７、スピーカー１７ａ、無線通信部１８を含む。
【００２９】
処理部１０は、携帯通信装置１の動作を制御する回路である。処理部１０は、ＣＰＵ１０ａや画像処理部１０ｂを含む。処理部１０には、ＣＰＵ１０ａや画像処理部１０ｂが１チップ化された集積回路を用いることができる。ＣＰＵ１０ａは、携帯通信装置１のＯＳ、プログラム、アプリケーション４、データに基づき、携帯通信装置１の動作を制御する。画像処理部１０ｂは、画像データに対して画像処理を行う。例えば、画像処理部１０ｂは、撮像部１５による撮影により得られた画像データの画像処理を行い、表示パネル１１に処理結果を表示させる。
【００３０】
記憶部１４は、携帯通信装置１の制御プログラム、制御データ、アプリケーション４、画像データのような各種データを記憶する。処理部１０は、記憶部１４に記憶される制御プログラムや制御データやアプリケーション４に従って、携帯通信装置１の各部を制御する。又、ダウンロードしたアプリケーション４を記憶部１４に記憶させることができる（尚、図３では、便宜上、複数のうち１つのみ図示）。タッチパネル部１２を通じた使用者のアプリケーション４の起動要求に応じ、処理部１０は、記憶部１４からアプリケーション４を記憶部１４に読み出し、実行する。アプリケーション４としては、例えば、複合機２用のもの（詳細は後述）や、撮像部１５を用いて写真を撮影するためのものがある。
【００３１】
表示パネル１１は、処理部１０からの要求に従い、各種情報を表示する。タッチパネル部１２は処理部１０と接続される。処理部１０は、タッチパネル部１２の出力に基づき、タッチされた位置を認識する。そして、処理部１０は、表示パネル１１が表示しているアイコンやボタンやキーなどのうち、タッチされた対象を認識する。アイコンやボタンやキーを押すことにより、所望するアプリケーション４を起動させ利用することや、電話をかけることができる。
【００３２】
Ｉ／Ｆ部１３は、各種規格に基づくコネクタやソケットや通信用チップを実装する。Ｉ／Ｆ部１３は、Ｉ／Ｆ部１３に挿入されたメモリーカードのような記録媒体に記憶されるデータの読み出しや、記録媒体へのデータの書き込みを行なう。
【００３３】
撮像部１５は、携帯通信装置１に設けられたカメラである。撮像部１５は、レンズの他、イメージセンサー１５ａと、イメージセンサー１５ａが出力する信号に基づき画像データを生成するカメラモジュール１５ｂを含む。カメラモジュール１５ｂは、イメージセンサー１５ａが出力するアナログ信号を処理してディジタルの画像データを生成するＡＦＥ（Analog Front End）や、ＡＦＥにより生成されたディジタルの画像データを処理するディジタル信号プロセッサを含む。そして、撮像部１５による撮影により得られた画像データは、記憶部１４に記憶される。
【００３４】
無線通信部１８は、アンテナや通信回路を含む。無線通信部１８は、複合機２の通信部２９とデータの送受信（データ通信）を行う。例えば、無線通信部１８と複合機２の通信部２９は、Bluetooth（登録商標）のような無線通信規格に基づいてデータ通信を行う。また、無線通信部１８は、処理部１０の指示に応じて、移動体通信事業者が提供するデータ通信回線や通話回線にアクセスできる。無線通信部１８を介し、アプリケーション４のダウンロード、外部とのデータの送受信、相手方との通話を行うことができる。
【００３５】
音声処理部１６は、マイクロフォン１６ａから入力された音声に対して、無線通信部１８から送信できる形態への信号処理を行う。再生処理部１７は、無線通信部１８で受信した相手型の音声データをスピーカー１７ａに再生させる。
【００３６】
（携帯通信装置１を用いた複合機２の設定）
次に、図４、図５を用いて、実施形態に係る携帯通信装置１を用いた複合機２の設定を説明する。図４は、実施形態に係る携帯通信装置１で表示される複合機２の設定画面の一例を示す。図５は、実施形態に係る使用者データＤ１の一例を示す図である。
【００３７】
複合機２には操作パネル２２が設けられる。操作パネル２２に入力を行うことで、複合機２が有する機能のうち、用いる機能（実行するジョブの種類）の選択や、選択した機能について設けられた設定項目の選択や、選択した設定項目の設定値を定めることができる。このように、操作パネル２２では、選択や設定値の設定を行うことができる。
【００３８】
また、携帯通信装置１では、画像形成装置を利用するためのアプリケーション４により操作パネル２２と同様の選択や設定値の設定を行えるようになっている。画像形成装置を利用するためのアプリケーション４を起動させることで、処理部１０は、操作パネル２２に表示される設定用画面と同じ、又は、同等の設定用画面を表示パネル１１に表示させ、使用者による入力をタッチパネル部１２の出力に基づき認識する。
【００３９】
図４に示す画面は、画像形成装置を利用するためのアプリケーション４が起動したときに最初に表示されるホームメニュー画面Ｓ１の一例を示す。ホームメニュー画面Ｓ１には、複合機２の有する機能のうち用いる機能を選択するための機能選択キーＫ１が表示される。機能選択キーＫ１は、機能名を示す文字列と機能名に付された画像からなる。図４に示す例では、機能選択キーＫ１は、計８つ設けられる。
【００４０】
機能選択キーＫ１が操作されると、処理部１０は、選択された機能に関して設定を行うための画面を表示パネル１１に表示させる。例えば、コピー機能に対応する機能選択キーＫ１が操作されると、処理部１０は、コピー機能の設定項目を選択する画面や設定値を入力する画面を表示パネル１１に表示させる。
【００４１】
タッチパネル部１２にジョブ実行の旨が入力されると、処理部１０は、携帯通信装置１で使用者により設定された設定値のようなジョブを実行するためのデータを、複合機２の通信部２９に向けて無線通信部１８に送信させる。複合機２の制御部２０は、受信したデータに合わせて、ジョブの実行に要する部分を動作させ、ジョブを実行させる。例えば、制御部２０は、コピージョブの設定値を含む印刷用データを受信したとき、コピーのため、印刷部２８や画像読取部２１を動作させる。
【００４２】
また、画像形成装置を利用するためのアプリケーション４では、携帯通信装置１の使用者の個人情報を登録しておくことができる。どのような項目を個人情報として登録できるかは適宜定めることができる。本実施形態の携帯通信装置１では、個人情報を申込用紙の印刷に用いる。そのため、携帯通信装置１では、氏名、住所、郵便番号、電話番号のような、申込用紙で記入が必要となりそうな項目を個人情報として登録しておくことができる。図５は、携帯通信装置１に登録（記憶）された使用者データＤ１の一例を示す。
【００４３】
処理部１０は、画像形成装置を利用するためのアプリケーション４の起動中、所定の操作がなされると、個人情報を入力するための画面（不図示）を表示パネル１１に表示させる。そして、処理部１０は、ソフトウェアキーボード（不図示）を表示パネル１１に表示させ、ソフトウェアキーボードへの各項目（個人情報）の入力を受け付ける。そして、処理部１０は、個人情報の入力が完了する旨の操作がなされると、入力された各項目の内容を使用者データＤ１（個人情報）として記憶部１４に記憶させる。
【００４４】
（ＱＲコード５の読み取り）
次に、図６を用いて、ＱＲコード５の読み取りを説明する。図６は、実施形態に係る携帯通信装置１でのＱＲコード５の読み取りの一例を示す図である。
【００４５】
本実施形態の携帯通信装置１は、ＱＲコード５を撮影した画像データに基づき、ＱＲコード５に格納された情報を認識することができる。言い換えると、本実施形態の携帯通信装置１は、ＱＲコード５を読み取ることができる。
【００４６】
店舗や施設に置かれたパンフレットＰや広告には、パンフレットＰや広告に記載されたイベントや商品に関するサイトやデータへのリンク先（アドレス、ＵＲＬ）を格納したＱＲコード５が記載されていることがある。ＱＲコード５を読み取ることで、使用者は、広告やパンフレットＰに記載されたアドレスに対応する画面を表示パネル１１に表示させることができる。
【００４７】
図６のうち、上側の図は、パンフレットＰの一例を示す。図６に例示するパンフレットＰには、ＱＲコード５が印刷されている。ＱＲコード５を読み取るとき、使用者は、写真を撮影するためのアプリケーション４（以下、カメラアプリ）を起動する。そして、使用者は、被写体としてのＱＲコード５がフレーム内に収まるように、撮像部１５を用いて撮影する。記憶部１４は、ＱＲコード５に格納された情報の読み取り処理を行うコード認識プログラムＤ２を記憶する（図３参照）。処理部１０は、コード認識プログラムＤ２とＱＲコード５を撮影することにより得られた画像データに基づき、ＱＲコード５に格納された情報を認識する。
【００４８】
（ＱＲコード５の読み取りに基づく所定データの取得）
次に、図７、図８を用いて、ＱＲコード５を読み取ってからＱＲコード５に格納されたアドレスに基づく申込用紙のデータの取得までを説明する。図７は、ＱＲコード５の読み取りの後、ＱＲコード５に格納されたアドレスに基づく申込用紙のデータの取得までの流れの一例を示すフローチャートである。図８は、ＱＲコード５を読み取ったときに表示される画面の一例を示す図である。
【００４９】
図７のスタートは、ＱＲコード５を読み取るためのカメラアプリを起動し、使用者がＱＲコード５を撮影し、撮影に基づき、ＱＲコード５を含む画像データが得られた時点である。
【００５０】
まず、処理部１０は、ＱＲコード５を含む画像データとコード認識プログラムＤ２に基づき、読み取ったＱＲコード５に格納された情報を認識する（ステップ♯１）。処理部１０は、ＱＲコード５に格納された情報にアドレスが含まれているか否かを確認する（ステップ♯２）。例えば、「ｈｔｔｐ：／／」のようなアドレス（ＵＲＬ、リソースの位置）としてよく用いられる語が含まれているとき、処理部１０は、ＱＲコード５に格納された情報は、アドレスを含むと判断する。また、処理部１０は、他の手順によって、ＱＲコード５に格納された情報にアドレスが含まれているか否かを確認するようにしてもよい。アドレスとしてよく用いられる語を定めたデータは、記憶部１４に記憶される。
【００５１】
ＱＲコード５にアドレスが含まれていないとき（ステップ♯２のＮｏ）、ＱＲコード５に含まれる情報には、携帯通信装置１を用いる通信や、複合機２の機能利用とは関係が無い情報と認められる。そのため、本フローは終了すればよい（エンド）。
【００５２】
次に、ＱＲコード５にアドレスが含まれているとき（ステップ♯２のＹｅｓ）、処理部１０は、ＱＲコード５に格納された情報は、予め定められた種類のデータ（所定データ、言い換えると、所定の形式のファイル）を対象とするアドレスであるかを判断する（ステップ♯３）。言い換えると、処理部１０は、ＱＲコード５に含まれるアドレスに記された位置に存在するデータは、申込用紙のデータで用いられる形式のデータ（所定データ）であるか否かを確認する。例えば、所定データは画像データや電子文書の形式のファイルである。
【００５３】
ＱＲコード５に格納された情報に取得対象文字列が含まれているとき、処理部１０は、ＱＲコード５に格納された情報は、所定データを対象とするアドレスであると判断する。例えば、「ｈｔｔｐ：／／〜．ｐｄｆ」や「ｈｔｔｐ：／／〜．ｊｐｇ」のようなネットワーク３００上に画像や電子文書のファイルを設置するときによく用いられる文字列が取得対象文字列とされる。記憶部１４は、複数の取得対象文字列が定義されたデータを記憶する。処理部１０はこのデータを参照して判断する。
【００５４】
また、処理部１０は、テスト的にアドレス（アドレスで示されるコンピューター２００）にアクセスし、アクセス先のデータ形式が画像や電子文書の形式であるとき、ＱＲコード５に格納された情報は、所定データを対象とするアドレスであると判断してもよい。なお、処理部１０は、他の手順によって、ＱＲコード５に格納された情報が所定データを対象とするアドレスであるか否かを確認するようにしてもよい。
【００５５】
ＱＲコード５に格納された情報が所定データ（所定の形式のファイル）を対象とするアドレスであると判断したとき（ステップ♯３のＹｅｓ）、処理部１０は、アドレスにアクセスしてデータを取得してよいかの確認画面Ｓ２を表示パネル１１に表示させる（ステップ♯４、図８参照）。図８の例では、「ダウンロード」の文字列を含むキーにタッチ操作がなされたとき、処理部１０は、使用者がアドレスに記された位置（コンピューター２００）からデータを取得する旨の入力を行ったと認識する。また、図８の例では、「Ｃａｎｃｅｌ」の文字列を含むキーにタッチ操作がなされたとき、処理部１０は、使用者がデータを取得しない旨の入力を行ったと認識する。
【００５６】
使用者がデータを取得する旨の入力を行わなかったとき（ステップ♯５のＮｏ）、本フローは終了すればよい（エンド）。一方、タッチパネル部１２の出力に基づきデータを取得する旨の入力があったと認識したとき（ステップ♯５のＹｅｓ）、処理部１０は、アドレスへのアクセスを無線通信部１８に行わせ、データを取得させる（ステップ♯６）。その結果、申込用紙のデータがダウンロードされる（申込用紙の一例を図１１、図１２に図示）。そして、次に、データの取得後の処理が開始される（詳細は後述）。
【００５７】
一方、ＱＲコード５に格納された情報は、所定データ（ファイル）を対象とするアドレスでないと処理部１０が判断したとき（ステップ♯３のＮｏ）、処理部１０は、ＱＲコード５に格納されたアドレスにアクセスしてよいか否かの確認画面（不図示）を表示パネル１１に表示させる（ステップ♯７）。
【００５８】
例えば、「〜．ｈｔｍｌ」のようなサイトのＵＲＬとしてよく用いられている語がＱＲコード５に格納された情報に含まれているとき、処理部１０は、サイトにアクセスし、サイトを表示させてよいか否かの確認画面を表示パネル１１に表示させる。
【００５９】
そして、タッチパネル部１２の出力に基づき、使用者がアクセスを許可する旨の入力を行ったことを認識したとき（ステップ♯８のＹｅｓ）、処理部１０は、無線通信部１８にアドレスに示されるコンピューター２００にアクセスさせ、サイトを表示パネル１１に表示させる（ステップ♯９）。一方、使用者がアクセスを許可しない旨の入力を行ったことを認識したとき（ステップ♯８のＮｏ）、本フローは終了すればよい。
【００６０】
（データ取得後の処理の流れ）
次に、図９〜図１２を用いて実施形態に係る携帯通信装置１のデータ取得後の処理の流れを説明する。図９は、実施形態に係る携帯通信装置１がデータ取得した後の画像形成システム１００での処理の流れの一例を示すフローチャートである。図１０は、複合機２の印刷用のアプリケーション４を起動したときの画面の一例を示す図である。図１１はアドレスに基づき取得したデータを確認する確認画面Ｓ３の一例を示す図である。図１２は、申込用紙に個人情報を加える操作の一例を示す図である。
【００６１】
図９でのスタートは、ＱＲコード５を撮影し、所定データを取得した時点である。処理部１０は、画像形成装置の設定用のアプリケーション４を起動させる（ステップ♯１１）。なお、ＱＲコード５を読み取った後、サイトを表示パネル１１に表示させ、サイト上で操作を行って所定データ（所定の形式のファイル）を取得したときも、画像形成装置を利用するためのアプリケーション４を起動させ、図９のフローチャートを開始してもよい。
【００６２】
そして、処理部１０は、予め定められた範囲内にある画像形成装置（本実施形態の例では複合機２）を無線通信部１８に検索させる（ステップ♯１２）。具体的に、処理部１０は、無線通信部１８のうち、Bluetoothの通信回路を用いて画像形成装置を検索させる。Bluetoothは、近距離無線通信用の規格であるので、検索される画像形成装置は、Bluetoothの有効範囲内のものが検索される。店舗や施設に置かれたパンフレットＰや広告のＱＲコード５を撮影した後、最寄りの画像形成装置が検出されることになる。例えば、コンビニエンスストアに置かれたパンフレットＰのＱＲコード５を撮影してデータを取得したとき、コンビニエンスストアに設置された画像形成装置が検出される。以下の説明では、画像形成装置として上述の複合機２が検出された場合を例に挙げて説明する。
【００６３】
そして、処理部１０は、無線通信部１８に複合機２の通信部２９との通信を行わせ、通信路を確立し自動設定を行う（ステップ♯１３）。なお、コンビニエンスストアなどでは、複数の画像形成装置が設置されることがある。無線通信部１８が複数の画像形成装置を検出したとき、処理部１０は、検出された画像形成装置の一覧を表示パネル１１に表示させ、選択された画像形成装置との通信路を無線通信部１８に確立させ、選択された画像形成装置を使用できるようにするための自動設定を行う。本実施形態では、処理部１０が複合機２と通信を確立する例を説明する。
【００６４】
通信の確立と自動設定の一連の処理を行うためのプログラムが記憶部１４に記憶される。処理部１０は、このプログラムを実行し、複合機２の通信方式、適用するプロファイル、機種名、シリアル番号、印刷速度やカラー対応かのような予め定められた複合機２の仕様、用紙残量、トナー残量のような情報を無線通信部１８に順次取得させる。そして、処理部１０は、携帯通信装置１で複合機２の設定を行えるようにするための自動設定を順次行う。例えば、検出された複合機２のドライバーソフトウェアＤ３が記憶部１４にないとき、処理部１０は、複合機２の記憶装置２０ｂに記憶された複合機２用のドライバーソフトウェアＤ３を無線通信部１８に取得させる（ネットワーク３００上のサーバーのようなコンピューター２００からドライバーソフトウェアＤ３を取得してもよい）。
【００６５】
そして、処理部１０は、取得したデータの印刷に要する金額の目安を表示パネル１１に表示させる（ステップ♯１４、図１０参照）。目安なので、金額は固定値でよい。また、無線通信部１８と複合機２との通信によって、処理部１０は複合機２の仕様を認識している。そこで、検出した画像形成装置がモノクロ機であれば「１０円」、カラー対応機ならば「５０円」というように検出した画像形成装置の仕様によって金額を変更してもよい。
【００６６】
続いて、処理部１０は、取得したデータの確認画面Ｓ３を表示パネル１１に表示させる（ステップ♯１５、図１１参照）。処理部１０は、取得した画像や電子文書のようなデータを表示パネル１１に表示させる。これにより、使用者は、取得したデータが申込用紙であるかどうかを確認することができる。
【００６７】
また、図１１に示すように、処理部１０は、取得したデータでよいか否かを選択するためのキーを確認画面Ｓ３内に表示させる。「ＯＫ」の文字列を含むキーにタッチ操作がなされたとき、処理部１０は、使用者が取得したデータを用いて印刷を行う旨の入力を行ったと認識する。また、「Ｃａｎｃｅｌ」の文字列を含むキーにタッチ操作がなされたとき、処理部１０は、使用者が取得したデータを用いて印刷を行わない旨の入力を行ったと認識する。
【００６８】
なお、処理部１０は、確認画面Ｓ３内で操作がなされ、ホームメニュー画面Ｓ１に戻った状態でコピーのような印刷に関する機能選択キーＫ１が操作されたとき、使用者が取得したデータを用いて印刷を行う旨の入力を行ったと認識するようにしてもよい。言い換えると、確認画面Ｓ３では、取得したデータの内容だけを表示するようにし、他の画面で取得したデータに基づく印刷の指示を受け付けるようにしてもよい。
【００６９】
取得したデータを用いて印刷を行わない旨の入力がなされとき（ステップ♯１６のＮｏ）、申込用紙の印刷の必要はなく本フローは終了すればよい。一方、取得したデータを用いて印刷を行う旨の入力がなされとき（ステップ♯１６のＹｅｓ）、処理部１０は、取得したデータ（申込用紙のデータ）に個人情報を加える処理を行う（ステップ♯１７）。
【００７０】
本実施形態の携帯通信装置１では、使用者が使用者データＤ１（登録された個人情報）のどの項目をどの位置（欄）に埋め込むかを指定する（決定する）ことができる。そのため、処理部１０は、取得したデータ内の欄を認識する。欄の認識手法は様々である。例えば、欄を認識するため、処理部１０は、取得したデータの画像内の各画素に対し二値化処理を行う。そして、処理部１０は、ページの行方向（水平方向）と列方向（垂直方向）のそれぞれで、閾値以上黒画素が連続する直線（高密度線）を抽出する。そして、処理部１０は、抽出した直線で閉じられた領域（四方が抽出された直線で囲われた領域）を欄と認識する。
【００７１】
そして、処理部１０は、個人情報に含まれる項目名を含むキーを表示パネル１１に表示させる。図１２の例では、表示パネル１１は、取得したデータ（申込用紙）の画像の下方に、個人情報の項目名を含むキーを複数表示する。図１２の例では、個人情報の項目として、住所、氏名、電話番号、郵便番号、メールアドレス、ふりがななどがある例を示している。
【００７２】
そして、使用者は、いずれか１つのキーをタッチすることにより項目を指定し、指定した項目の内容を埋め込みたい欄（選択したキーに対応する項目が記入されるべき欄）までタッチ位置を移動させてから離す操作を行う。処理部１０は、指が離された位置の欄が指定されたと認識する。そして、処理部１０は、指定した項目の内容（住所ならば登録された使用者の住所）を、指定された欄に追加する処理を行う。例えば、処理部１０は、指定された項目の内容として定められた文字列を、指定された欄内の画素に上書きする。
【００７３】
図１２の左側の図は、氏名のキーをタッチし、タッチ位置を、氏名の記入欄までスライド移動させた後、指を離す操作を行った例を示す。また、図１２の右側の図は、申込用紙の各欄に、使用者データＤ１（登録された個人情報）の各項目の内容が加えられた状態を示している。このように、処理部１０は、タッチパネル部１２の出力に基づき、個人情報の項目をどの欄に含めるかを認識する。
【００７４】
また、使用者による操作ではなく、処理部１０は、申込用紙のデータの各欄内に、自動的に個人情報の各項目の内容を加えるようにしてもよい。この場合、処理部１０は、取得した申込用紙のデータでの欄を認識する。そして、処理部１０は、欄ごとにＯＣＲ処理を行い、空欄と、文字列が含まれる欄、及び、欄に含まれる文字列を認識する。ＯＣＲ処理に必要なソフトウェアは、記憶部１４に予め記憶される。
【００７５】
そして、処理部１０は、空欄については隣接する欄（例えば、左側の欄）であって、文字を含む欄を認識する。そして、処理部１０は、隣接する欄に含まれる文字列に対応する項目の内容（登録された文字列）を空欄内に上書きする。このようにまず空欄を埋める。
【００７６】
続いて、処理部１０は、空欄以外のそれぞれの欄に含まれている文字列のうち、個人情報の項目名と一致するものを認識する（空欄に記入済の項目を除く）。そして、処理部１０は、個人情報の項目名と一致する文字列を含む欄の内側の領域に、一致した項目の内容を上書きする。図１２では、「ふりがな」の欄には、「やまだ  たろう」の文字列が上書きされる例を示している。
【００７７】
なお、自動的に登録された個人情報の各項目の内容を申込用紙のデータに追加する（記入する）手法は上記に限られず、他の手法により行うようにしてもよい。
【００７８】
続いて、処理部１０は、個人情報が追加された申込用紙のデータに基づき、印刷用データを生成する（ステップ♯１８）。複合機２が理解できるように、処理部１０は、携帯通信装置１でなされた印刷の設定を示すデータや、必要な画像データを印刷用データに含める。例えば、印刷用データは、複合機２で利用可能なページ記述言語により記述されたデータを含む。
【００７９】
そして、処理部１０は、生成した印刷用データを複合機２に向けて無線通信部１８に送信させる（ステップ♯１９）。そして、制御部２０は、携帯通信装置１（無線通信部１８）から受信した印刷用データに基づいた印刷を印刷部２８に行わせる（ステップ♯１１０）。そして、本フローは終了する。
【００８０】
パンフレットＰや広告には、ＱＲコード化されたアドレス（リンク先）が印刷されている場合があり、アドレスに基づき申込用紙のデータを得ることができる場合がある。そこで、実施形態に係る携帯通信装置１は、撮像部１５、表示部（表示パネル１１）、タッチパネル部１２、記憶部１４、無線通信部１８、処理部１０を含む。表示部は、画面を表示する。タッチパネル部１２は、表示部に対するタッチ操作を受け付ける。記憶部１４は、携帯通信装置１の使用者の個人情報を記憶する。無線通信部１８は、データの送受信を行う。処理部１０は、撮像部１５を用いてコード表示体（ＱＲコード５）を撮影することにより生成された画像データに基づきコード表示体に含まれるアドレスを認識し、アドレスにあるデータを申込用紙のデータとして無線通信部１８に取得させ、無線通信部１８が取得したデータに個人情報を加えることにより項目が記入済の申込用紙の印刷用データを生成し、生成した印刷用データを画像形成装置（複合機２）に向けて無線通信部１８に送信させる。
【００８１】
使用者は所有するスマートフォンやタブレットコンピューターのような携帯通信装置１で申込用紙のデータを取得し、取得したデータに基づき、申込用紙をパンフレットＰや広告の近くにある画像形成装置（複合機２）に印刷させることができる。従って、使用者はその場で所望のイベントや商品を申し込める。また、申込用紙には住所や名前のような必要事項の記入が必要であるところ、使用者は、住所や名前のような個人情報が印刷済の申込用紙を得ることができる。従って、使用者の申込用紙への記入の手間を省くことができる。
【００８２】
パンフレットＰや広告に記載されるコードに含まれるアドレスは、情報提供用のウェブページ（ホームページ）のアドレスである場合がある。ウェブページを印刷しても、申込用紙として用いることができない。そこで、処理部１０は、コード表示体（ＱＲコード５）に含まれるアドレスにあるデータが予め定められた種類のデータである所定データであるか否かをアドレスに基づき判断し、所定データであるときアドレスにあるデータを無線通信部１８に取得させ、所定データでないときアドレスにあるデータに基づいて印刷用データを生成しない。
【００８３】
これにより、取得したデータが申込用紙でないようなデータ（内容）であるとき、取得したデータに基づいた印刷ジョブを行わないようにすることができる。従って、用紙、トナー、電力のような資源の無駄な消費を無くすことができる。
【００８４】
又、処理部１０は、アドレスにあるデータを申込用紙のデータとして無線通信部１８に取得させたとき、予め定められた範囲内にある画像形成装置（複合機２）を無線通信部１８に検索させ、検出された画像形成装置との通信を無線通信部１８に確立させ、通信が確立された画像形成装置に向けて印刷用データを無線通信部１８に送信させる。
【００８５】
これにより、検索の結果、見つかった最寄りの画像形成装置（複合機２）であって、通信を確立できた画像形成装置（複合機２）に申込用紙を印刷させることができ、使用者は、直ちに申込用紙を入手できる。
【００８６】
又、処理部１０は、無線通信部１８が画像形成装置（複合機２）との通信を確立したとき、印刷用データの印刷に要する金額を表示部（表示パネル１１）に表示させる。これにより、画像形成装置（複合機２）で申込用紙の印刷にお金が必要な場合があることを使用者に知らせることができる。
【００８７】
又、処理部１０は、無線通信部１８に取得させたデータを確認するための確認画面Ｓ２    Ｓ３を表示部（表示パネル１１）に表示させ、取得させたデータに基づき印刷を行う旨がタッチパネル部１２に入力されたとき印刷用データを生成し、取得させたデータに基づき印刷を行わない旨がタッチパネル部１２に入力されたとき印刷用データを生成しない。
【００８８】
これにより、使用者は、アドレスに記された位置から得られたデータの内容を実際に確認することができる。そして、申込用紙のデータが表示されていれば、使用者は最寄りの画像形成装置（複合機２）に印刷させる指示を行うだけで、使用者は必要な項目が記入済の申込用紙を入手できる。一方、申込用紙ではないものが表示されていれば、印刷を行わない指示を行って無駄な印刷を画像形成装置に行わせないようにすることができる。
【００８９】
又、処理部１０は、取得されたデータに含まれる欄を認識し、個人情報の項目を表示部（表示パネル１１）に表示させ、タッチパネル部１２への入力に基づきどの項目をどの欄に含めるかを指定する操作を認識し、指定された項目が指定された欄に含まれるように印刷用データを生成する。
【００９０】
これにより、使用者は、操作を行って、住所や名前のような個人情報を、取得されたデータ内の適切な場所に配する設定を行える。従って、使用者は、記入ミスの無い申込用紙の印刷物を入手できる。
【００９１】
又、処理部１０は、コード表示体に含まれるＱＲコード５を撮像することにより撮像部１５で生成された画像データに基づきアドレスを認識する。これにより、使用者は携帯通信装置１に設けられた撮像部１５（カメラ）でＱＲコード５を撮影するだけで申込用紙のデータを得ることができる。
【００９２】
又、実施形態に係る画像形成システム１００は、上述の携帯通信装置１と画像形成装置（複合機２）を含む。この構成によれば、その場で必要事項が記入済の申込用紙を印刷できる画像形成システム１００を提供することができる。
【００９３】
又、本発明の実施形態を説明したが、本発明の範囲はこれに限定されるものではなく、発明の主旨を逸脱しない範囲で種々の変更を加えて実施することができる。
【産業上の利用可能性】
【００９４】
本発明は、撮像部（カメラ）を備え、コードを認識する携帯通信装置や、携帯通信装置と画像形成装置を備えた画像形成システムに利用可能である。
【符号の説明】
【００９５】
１００  画像形成システム                １      携帯通信装置
１０    処理部                          １１    表示パネル（表示部）
１２    タッチパネル部                  １４    記憶部
１５    撮像部                          １８    無線通信部
２      複合機（画像形成装置）          ５      ＱＲコード（コード表示体）
Ｓ２    確認画面                        Ｓ３    確認画面
【図１】
0006035317.tif 000002
【図２】
0006035317.tif 000003
【図３】
0006035317.tif 000004
【図４】
0006035317.tif 000005
【図５】
0006035317.tif 000006
【図６】
0006035317.tif 000007
【図７】
0006035317.tif 000008
【図８】
0006035317.tif 000009
【図９】
0006035317.tif 000010
【図１０】
0006035317.tif 000011
【図１１】
0006035317.tif 000012
【図１２】
0006035317.tif 000013